(57)【特許請求の範囲】
【請求項１】
清掃対象の清掃に用いられる清掃用具であって、
清掃体ホルダと、前記清掃体ホルダに保持される清掃体を備え、
前記清掃体ホルダは、
使用者によって把持される把持部と、前記把持部から並行して長尺状に延在する第１の保持体および第２の保持体と、
を含み、
前記清掃体は、
前記清掃体ホルダの前記第１の保持体および前記第２の保持体のそれぞれが挿入され、第１の方向に沿って延在する第１の挿入空間および第２の挿入空間と、
不織布からなる第１のシートおよび第２のシートと、
重ねられた前記第１のシートと前記第２のシートを接合し、前記第１の挿入空間を区画する第１の内側接合部および第１の外側接合部と、
重ねられた前記第１のシートと前記第２のシートを接合し、前記第２の挿入空間を区画する第２の内側接合部および第２の外側接合部と、
前記第１の内側接合部と前記第２の内側接合部の間に形成される中間領域と、
前記第１の方向と交差する第２の方向に延在する複数の繊維が、前記中間領域において、前記第１のシートに接合された繊維体と、
を備え、
前記清掃体ホルダの前記第１の保持体および前記第２の保持体のそれぞれが前記清掃体の前記第１の挿入空間および前記第２の挿入空間に挿入されることによって、前記第１の挿入空間と前記第２の挿入空間が接近し、それによって、前記中間領域における前記繊維体が、前記第１の挿入空間および前記第２の挿入空間に対して前記繊維体が配置されている方向に押し出されることを特徴とする清掃用具。
【請求項２】
請求項１に記載の清掃用具であって、
前記清掃体の前記繊維体は、
前記第１のシート側に配置された第１グループの複数の繊維と、
前記第１グループの複数の繊維を挟んで前記第１のシートの反対側に配置された第２グループの複数の繊維と、を含み、
前記第１の挿入空間と前記第２の挿入空間が接近することによって、前記第１グループの複数の繊維が前記中間領域まわりに旋回することを特徴とする清掃用具。
【請求項３】
請求項２に記載の清掃用具であって、
前記清掃体は、前記第１グループの複数の繊維および前記第２グループの複数の繊維が、前記中間領域において、前記第１の内側接合部と前記第２の内側接合部とは別の、前記第１の方向に沿って延在する中間接合部によって前記第１のシートに接合され、当該中間接合部が、前記第１グループの複数の繊維の旋回中心として構成されることを特徴とする清掃用具。
【請求項４】
請求項１から３のうちのいずれか一項に記載の清掃用具であって、
前記清掃体は、前記繊維体の複数の繊維が、前記第１の方向と交差する方向に、前記第１の挿入空間および前記第２の挿入空間の双方にまたがって延在する構成であることを特徴とする清掃用具。
【請求項５】
請求項１から４のうちのいずれか一項に記載の清掃用具であって、
前記清掃体は、前記第２のシートのうち前記第１のシートとは反対の面が当該清掃体の清掃体表面として規定される構成であることを特徴とする清掃用具。
【請求項６】
清掃対象の清掃に用いる清掃体であって、
第１の保持体および第２の保持体のそれぞれが挿入され、第１の方向に沿って延在する第１の挿入空間および第２の挿入空間と、
不織布からなる第１のシートおよび第２のシートと、
重ねられた前記第１のシートと前記第２のシートを接合し、前記第１の挿入空間を区画する第１の内側接合部および第１の外側接合部と、
重ねられた前記第１のシートと前記第２のシートを接合し、前記第２の挿入空間を区画する第２の内側接合部および第２の外側接合部と、
前記第１の内側接合部と前記第２の内側接合部の間に形成される中間領域と、
前記第１の方向と交差する第２の方向に延在する複数の繊維が、前記中間領域において、前記第１のシートに接合された繊維体と、
を備え、
前記第１の保持体および前記第２の保持体のそれぞれが前記清掃体の前記第１の挿入空間および前記第２の挿入空間に挿入されることによって、前記第１の挿入空間と前記第２の挿入空間が接近し、それによって、前記中間領域における前記繊維体の前記接合部が、前記第１の挿入空間および前記第２の挿入空間に対して前記繊維体が配置されている方向に押し出されることを特徴とする清掃体。
【請求項７】
請求項６に記載の清掃体であって、
前記繊維体は、
前記第１のシート側に配置された第１グループの複数の繊維と、
前記第１グループの複数の繊維を挟んで前記第１のシートの反対側に配置された第２グループの複数の繊維と、を含み、
前記第１の挿入空間と前記第２の挿入空間が接近することによって、前記第１グループの複数の繊維の前記少なくとも一方の端部が前記中間領域まわりに旋回し、また前記第２グループの複数の繊維の前記中間領域と反対側の端部が前記中間領域まわりに旋回することを特徴とする清掃体。
【請求項８】
請求項７に記載の清掃体であって、
前記第１グループの複数の繊維および前記第２グループの複数の繊維は、前記中間領域において、前記第１の内側接合部と前記第２の内側接合部とは別の、前記第１の方向に沿って延在する中間接合部によって前記第１のシートに接合され、当該中間接合部が、前記第１グループの複数の繊維および前記第２グループの複数の繊維の旋回中心として構成されることを特徴とする清掃体。
【請求項９】
請求項１から８のうちのいずれか一項に記載の清掃体であって、
前記繊維体の複数の繊維が、前記第１の方向と交差する方向に、前記第１の挿入空間および前記第２の挿入空間の双方にまたがって延在する構成であることを特徴とする清掃体。
【請求項１０】
請求項６から９のうちのいずれか一項に記載の清掃体であって、
前記第２のシートのうち前記第１のシートとは反対の面が当該清掃体の清掃体表面として規定される構成であることを特徴とする清掃体。
【発明の詳細な説明】
【技術分野】
【０００１】
本発明は、清掃用具に係り、詳しくは清掃対象を清掃するための清掃体を備える清掃用具の構築技術に関するものである。
【背景技術】
【０００２】
従来、清掃対象の清掃をするためのシート状の清掃体を備える清掃用具が種々提案されている。例えば、下記特許文献１には、繊維層および掻き出しシートからなる清掃体を備える構成の清掃用具が開示されているが、清掃体の表面が繊維によって高密度状態とされるこの種の清掃用具の設計に際しては、ごみ、埃、塵ないし汚れ等の捕集対象物を繊維の奥まで取り込むことによって清掃効果向上を図る技術が要請される。
【先行技術文献】
【特許文献】
【０００３】
【特許文献１】特開２００７−２９１３６号公報
【発明の開示】
【発明が解決しようとする課題】
【０００４】
そこで、本発明は、かかる点に鑑みてなされたものであり、清掃対象を清掃するための清掃体において、ごみ、埃、塵ないし汚れ等の捕集対象物を繊維の奥まで取り込むことを可能とし、以って清掃効果向上を図るのに有効な技術を提供することを課題とする。
【課題を解決するための手段】
【０００５】
上記課題を達成するため、各請求項記載の発明が構成される。これら各請求項に記載の発明は、一戸建て、マンション、ビル、工場、車両等の室内、室外、屋外における被清掃領域（床面、壁面、窓、天井面、外壁面、柱、家具面、衣類、カーテン、ブラインド、寝具、照明、電気コード類、家電品等）や、人体の各構成部位を清掃するための清掃用具の構成に適用され得る。これら各種の清掃領域は、平面として構成されてもよいし、或いは曲面、凹凸面、段差面として構成されてもよい。
【０００６】
本発明に係る清掃体用具は、清掃対象の清掃に用いられるものであり、清掃体ホルダと、この清掃体ホルダに保持される清掃体を備える。なお、本発明において清掃体は、一回使用を目安とした使い捨てタイプのものや、清掃対象から捕集したごみ、塵、埃などの捕集対象物を保持しつつ複数回の使用を目安として交換を行う使い捨てタイプのものであってもよいし、或いは洗濯などを行ったうえで繰り返し使用することが可能なタイプのものであってもよい。
【０００７】
清掃体ホルダは、把持部と、この把持部から並行して長尺状に延在する第１の保持体および第２の保持体を含む構成とされる。把持部は、使用者の手指で把持される部位として構成される。各保持体は、清掃体を保持する部位として構成される。このとき、把持部と保持体は、互いに分離不能に一体状として構成されてもよいし、或いは互いに分離可能として構成されてもよい。また、保持体は少なくとも２つ設けられる構成であればよく、更に別の保持体が追加されてもよい。
【０００８】
清掃体は、第１の挿入空間および第２の挿入空間、第１のシートおよび第２のシート、第１の内側接合部および第１の外側接合部、第２の内側接合部および第２の外側接合部、中間領域および繊維体を含む。第１の挿入空間および第２の挿入空間は、清掃体ホルダの第１の保持体および第２の保持体のそれぞれが挿入され、第１の方向に沿って延在する挿入空間として構成される。これら第１の挿入空間および第２の挿入空間に加えて、更なる挿入空間が追加されてもよい。ここでいう「第１の方向に沿って延在する挿入空間」とは、第１の方向に沿った延在成分を含む挿入空間と解され、当該挿入空間には、挿入空間の全部または一部の延在方向が第１の方向に合致する構成や、挿入空間の全部または一部の延在方向が第１の方向に概ね合致する構成が包含される。第１のシートおよび第２のシートはいずれも、不織布からなる不織布シートとして構成される。第１の内側接合部および第１の外側接合部は、重ねられた第１のシートと第２のシートを接合し、第１の挿入空間を区画する接合部として構成される。第２の内側接合部および第２の外側接合部は、重ねられた第１のシートと第２のシートを接合し、第２の挿入空間を区画する接合部として構成される。中間領域は、第１の内側接合部と第２の内側接合部の間に形成される領域として構成される。繊維体は、第１の方向と交差する第２の方向に延在する複数の繊維が、中間領域において第１のシートに接合された部位として構成される。この繊維体は、中間領域に存在する第１の内側接合線や第２の内側接合線によって第１のシートに接合される構成であってもよいし、或いはこれら第１の内側接合線や第２の内側接合線とは別の接合部によって第１のシートに接合される構成であってもよい。
【０００９】
上記構成の清掃用具は特に、清掃体ホルダの第１の保持体および第２の保持体のそれぞれが清掃体の第１の挿入空間および第２の挿入空間に挿入されることによって、第１の挿入空間と第２の挿入空間が接近し、それによって、中間領域における繊維体が、第１の挿入空間および第２の挿入空間に対して繊維体が配置されている方向、すなわち第１のシートと繊維体が重なり合う方向に押し出されるように構成される。この押し出しによって、繊維体のうち中間領域の両側の繊維部分（例えば、中間領域を固定端部とした場合の繊維体の自由端部）の厚みが増えることとなる。従って、清掃体の断面に関し繊維体の押し出し方向の繊維間距離が広げられることとなり、清掃体に清掃体ホルダが装着される前よりも見た目の比容積を増加させることができる。これにより、ごみ、塵、埃などの捕集対象物を捕集するための領域を繊維内部まで拡張することができ、繊維体を有効に利用することが可能となり、以って清掃効果向上を図ることが可能となる。
また、繊維体の繊維間距離が広がることで表面積が増えることとなり、その結果、一拭きの清掃範囲が広がって払拭効果が高まる。
また、繊維体の比容積や表面積が増加された上記の状態は、各保持体を各挿入空間に挿入することによって自然に形成されるため、使用前に繊維体の繊維を手で解いたり、清掃体ホルダを清掃体ごと振ることによって、清掃体のボリューム感を高める操作を使用者があえて行なう必要なく合理的である。しかも、一旦形成された清掃体の形状は、各挿入孔に挿入された各保持体によって強制的に維持されるため、当該形状がより長く安定的に維持され得る。
【００１０】
また本発明に係る更なる形態の清掃用具では、前記の清掃体の繊維体は、第１のシート側に配置された第１グループの複数の繊維と、第１グループの複数の繊維を挟んで第１のシートの反対側に配置された第２グループの複数の繊維とを含み、第１の挿入空間と第２の挿入空間が接近することによって、第１グループの複数の繊維が中間領域まわりに旋回する構成であるのが好ましい。このような構成によれば、清掃体を構成する繊維体の比容積や表面積をより確実に増加させることが可能となる。
【００１１】
また本発明に係る更なる形態の清掃用具では、前記の清掃体は、第１グループの複数の繊維および第２グループの複数の繊維が、中間領域において、第１の内側接合部と第２の内側接合部とは別の、第１の方向に沿って延在する中間接合部によって第１のシートに接合され、当該中間接合部が、第１グループの複数の繊維の旋回中心とされるのが好ましい。これにより、第１グループの複数の繊維が中間領域まわりの旋回をより確実なものとすることが可能となる。
【００１２】
また本発明に係る更なる形態の清掃用具では、前記の清掃体の繊維体は、第１グループの複数の繊維と、第２グループの複数の繊維を含む構成であるのが好ましい。第１グループの複数の繊維は、第１のシート側に配置され、中間領域において、少なくとも第１の内側接合部と第２の内側接合部によって第１のシートに接合された繊維とされる。これに対し、第２グループの複数の繊維は、第１グループの複数の繊維を挟んで第１のシートの反対側に配置され、中間領域において、第１の内側接合部と第２の内側接合部とは別の、第１の方向に沿って延在する中間接合部によって第１のシートに接合された繊維とされる。
これにより、清掃体ホルダの挿入動作に伴って第１の挿入空間と第２の挿入空間が接近する際、第１グループの複数の繊維が第１のシートと一体的に清掃体上方に旋回する一方、第２グループの複数の繊維が第１のシートと一体的に清掃体上方に旋回しない構成の清掃体が実現される。
【００１３】
また本発明に係る更なる形態の清掃用具では、前記の清掃体は、繊維体の複数の繊維が、第１の方向と交差する方向に、第１の挿入空間および第２の挿入空間の双方にまたがって延在する構成であるのが好ましい。これにより、繊維体が、第１の挿入空間に対応した繊維と、第２の挿入空間に対応した繊維に分割されていない清掃体が実現される。
【００１４】
また本発明に係る更なる形態の清掃用具では、前記の清掃体は、第２のシートのうち第１のシートとは反対の面が当該清掃体の清掃体表面として規定される構成であるのが好ましい。これにより第２のシートの片面が清掃体表面に露出した構成、すなわち第２のシートの片面の別の清掃体要素が接合されていない構成の清掃体が実現される。
【００１５】
本発明に係る清掃体は、上記の各清掃用具の清掃体と実質的に同様に構成される。従って、本発明に係る清掃体によれば、前述の作用効果と同様の作用効果が得られることとなり、少なくとも、ごみ、埃、塵ないし汚れ等の捕集対象物を繊維の奥まで取り込むことを可能とし、以って清掃効果向上を図ることが可能となる。
【発明の効果】
【００１６】
以上のように、本発明によれば、清掃対象を清掃するための清掃体において、ごみ、埃、塵ないし汚れ等の捕集対象物を繊維の奥まで取り込むことを可能とし、以って清掃効果向上を図ることが可能となった。
【図面の簡単な説明】
【００１７】
【図１】本実施の形態の清掃用具１００を構成する構成要素の斜視図である。
【図２】図１中の清掃体１１０を各積層要素に分解した状態の斜視図である。
【図３】図１中の清掃体１１０の平面図である。
【図４】図３中の清掃体１１０のＡ−Ａ線に関する断面構造を示す図である。
【図５】図３中の清掃体１１０のＢ−Ｂ線に関する断面構造を示す図である。
【図６】図５中の清掃体１１０の断面構造に関し、清掃体ホルダ１３０の各保持体１４２が各挿入孔１１７に挿入される前後の様子を示す図である。
【図７】別実施の形態の清掃体２１０の平面図である。
【図８】別実施の形態の清掃体２２０の平面図である。
【図９】別実施の形態の清掃体２３０の平面図である。
【図１０】別実施の形態の清掃体２４０の平面図である。
【図１１】別実施の形態の清掃体２５０の平面図である。
【図１２】別実施の形態の清掃体２６０の平面図である。
【図１３】別実施の形態の清掃体２７０の平面図である。
【図１４】別実施の形態の清掃体３１０の断面図である。
【図１５】別実施の形態の清掃体３２０の断面図である。
【図１６】別実施の形態の清掃体３３０の断面図である。
【図１７】別実施の形態の清掃体３４０の断面図である。
【図１８】別実施の形態の清掃体３５０の断面図である。
【図１９】別実施の形態の清掃体３６０の断面図である。
【図２０】別実施の形態のホルダ本体１６０の一部を示す平面図である。
【発明を実施するための形態】
【００１８】
以下、本発明における「清掃用具」の一実施の形態である清掃用具１００の構成を、図面を参照しつつ詳細に説明する。この清掃用具１００は、清掃対象を清掃するための清掃用具として構成される。典型的な清掃対象としては、一戸建て、マンション、ビル、工場、車両（自動車）等の室内、室外、屋外における被清掃領域（床面、壁面、窓、天井面、外壁面、柱、家具面、衣類、カーテン、ブラインド、寝具、照明、電気コード類、家電品等）や、人体の各構成部位における被清掃領域を含む清掃対象等が挙げられる。これら各種の清掃対象として、平面構造或いは立体構造のものが挙げられる。この場合、清掃対象における被清掃領域は、平面、曲面、凹凸面、段差面などとされる。
【００１９】
本実施の形態の清掃用具１００を構成する構成要素の斜視図が図１に示される。図１に示すように、この清掃用具１００は、清掃体１１０と、清掃体１１０を保持する清掃体ホルダ１３０に大別される。この清掃用具１００は、いわゆる「モップ」とも称呼される。
【００２０】
清掃体１１０は、清掃対象のごみ、埃、塵ないし汚れ等の捕集対象物を拭き取る拭き取り機能、捕集対象物を掃き取る掃き取り機構、或いは捕集対象物を掻き取る掻き取り機能を有する清掃体とされる。この清掃体１１０は、販売時或いは未使用時にはシート状ないし平板状とされる一方、使用時には解されてシート厚み方向に関し嵩高な状態とされる。詳細については後述するが、この清掃体１１０は、所定の長手方向（長辺の延在方向）に長尺状に延在するような平面視が長方形のシート体であって、それぞれが同様の平面形状を有する複数の層状体（後述する保持シート部１１１および刷毛部１１４）が互いに重ねられた積層構造を有する。ここでいう清掃体１１０が、本発明における「清掃体」に相当する。本実施の形態では、清掃体１１０の長辺１１０ａが延在する第１の方向を図１中の矢印１０で示しており、また清掃体１１０の短辺１１０ｂが延在する第２の方向を図１中の矢印１２で示している。ここでいう第１の方向１０が、本発明における「第１の方向」に相当し、またこの第１の方向１０と交差する第２の方向１２が、本発明における「第２の方向」に相当する。
【００２１】
なお、必要に応じては、この清掃体１１０を、平面視が正方形、円形、楕円形、多角形等の他の形状の清掃体として構成することもできる。また、平面視が長方形ないし正方形とされたこの清掃体１１０の隅部（角部）は、必要に応じて直角状或いは曲線状とされる。この清掃体１１０は、一回使用を目安とした使い捨てタイプのものや、捕集対象物を保持しつつ複数回の使用を目安として交換を行う使い捨てタイプの清掃体として構成されてもよいし、或いは必要に応じて洗濯などを行ったうえで繰り返し使用することが可能なタイプの清掃体として構成されてもよい。
【００２２】
清掃体ホルダ１３０は、上記構成の清掃体１１０が着脱自在とされており、清掃作業時に清掃体１１０が取り付けられる一方、保管時や清掃体交換時などにおいて清掃体１１０が取り外される。この清掃体ホルダ１３０は、それぞれが互いに連接するホルダ本体１４０およびハンドル部１５０からなる長尺状の部材として構成される。この清掃体ホルダ１３０は、典型的には合成樹脂材料等の非金属材料によって構成されるのが好ましい。ここでいう清掃体ホルダ１３０が、本発明における「清掃体ホルダ」に相当する。
【００２３】
ハンドル部１５０は、長尺状に延在するハンドル本体１５１を備える。このハンドル本体１５１は、使用者の手指によって把持される部位とされる。このハンドル部１５０は、ハンドル本体１５１の一方の端部とホルダ本体１４０の一方の端部とによって形成される接続部１４１を介してホルダ本体１４０に接続される。ハンドル部１５０のこの接続構造に関しては、ホルダ本体１４０およびハンドル部１５０（ハンドル本体１５１および接続部１４１）の各々を別体構造として組み付け自在とする構成や、ホルダ本体１４０およびハンドル部１５０を接続部１４１とともに一体成型とする構成、また接続部１４１をホルダ本体１４０およびハンドル本体１５１のいずれか一方と一体成型とする構成などを適宜採用することができる。ここでいうハンドル部１５０ないしハンドル本体１５１が、本発明における「把持部」を構成する。
【００２４】
ホルダ本体１４０は、清掃体１１０を着脱自在に保持する機能を有する部位とされる。このホルダ本体１４０には、左右一対の長尺状の保持体１４２，１４２が設けられている。これらの保持体１４２，１４２は、接続部１４１側の端部を固定端１４３とし、その反対側の端部を自由端１４４として、所定の間隔を空けて同一平面上にて平行に（並行して）延在する長尺状とされる。すなわち、ホルダ本体１４０は、その先端側が保持体１４２，１４２によって二股状に分かれたフォーク形状となっている。これら保持板１４２，１４２の断面形状に関しては、断面が長方形、正方形、円形、多角形のものを適宜採用することが可能である。
【００２５】
また各保持体１４２には、突片１４５および押え板１４６が設けられている。突片１４５は、各保持体１４２の外縁部１４２ａから保持体外方へと突出している。この突片１４５は、各保持体１４２の長手方向に関し１または複数（図１では、各保持体１４２に２つ）設けられるのが好ましい。これにより、各保持体１４２のうち突片１４５が設けられた部位は、当該保持体の各部位のうち幅方向の長さが最も拡張された拡幅部とされる。押え板１４６は、両保持板１４２，１４２の間において前方へと延在するとともに、下側に向けて凸形状となるように湾曲して形成される板状部材として構成され、更にその下面に係止突部（図示省略）を備える。ここでいう保持体１４２，１４２が、本発明における「保持体」を構成する。
【００２６】
各保持体１４２は、清掃体１１０に形成された対応する挿入空間（後述する挿入孔１１７）への挿入が可能とされており、この挿入空間への挿入状態において清掃体１１０を保持する機能を有する。各保持体１４２は、その挿入状態において清掃体１１０の挿入空間に密着状に摺接して嵌まり込み、清掃体１１０に対する止着作用を発揮する。また、各保持体１４２は、その挿入状態において当該保持体の拡幅部である突片１４５が、清掃体１１０に対する抜け止めとして作用する。更に、この挿入状態においては、押え板１４６が清掃体１１０を上方から押えつけるとともに、その下面の係止突部が清掃体１１０の抜け止めとして作用する。これにより、各保持体１４２の挿入状態では、清掃体１１０がホルダ本体１４０によって抜け止めされつつ確実に保持されることとなる。
【００２７】
なお、各保持体１４２の挿入動作の円滑化を図るべく、各保持体１４２の形状を適宜設定するのが好ましい。例えば、保持体の板幅方向の形状に関しては、各保持体１４２の板幅が固定端１４３と自由端１４４の間で一定とされた構成や、各保持体１４２の板幅が自由端１４４に向かうにつれて小さくなる構成などを採用することができる。また、例えば、保持体の板厚方向の形状に関しては、各保持体１４２の板厚が固定端１４３と自由端１４４の間で一定とされた構成や、各保持体１４２の板厚が自由端１４４に向かうにつれて小さくなる構成などを採用することができる。
【００２８】
次に、上記清掃体１１０の具体的な構造に関し、図１に加え更に図２〜図５を参照しつつ詳細に説明する。ここで、図２には、図１中の清掃体１１０を各積層要素に分解した状態の斜視図が示されている。また、図３には、図１中の清掃体１１０の平面図が示され、図４には、図３中の清掃体１１０のＡ−Ａ線に関する断面構造が示され、図５には、図３中の清掃体１１０のＢ−Ｂ線に関する断面構造が示されている。
【００２９】
図２に示すように、本実施の形態の清掃体１１０は、その構成要素として、シート状の保持シート部１１１および刷毛部１１４を含む。保持シート部１１１の一方の面に刷毛部１１４が重ねられて、所定の接合部においてこれらの構成要素が接合される。
【００３０】
図４に示すように、保持シート部１１１は、いずれも不織布からなるシート状の第１シート１１２および第２シート１１３が互いに重ねられて形成されている。この保持シート部１１１は、第２シート１１３の第１の方向１０の長辺が、第１シート１１２の第１の方向１０の長辺よりも短くなるように構成されるのが好ましい。これにより、第１シート１１２と第２シート１１３が重ねられた状態では、第１シート１１２のうち第２シート１１３よりも延出した延出面が、清掃体ホルダ１３０の保持体１４２を後述の挿入孔１１７へと円滑に誘導する機能を果たす。ここでいう第１シート１１２および第２シート１１３がそれぞれ、本発明における「第１のシート」および「第２のシート」に対応している。
【００３１】
一方、刷毛部１１４は、繊維集合体１１５と不織布からなるシート状の第３シート１１６が互いに重ねられて形成され、繊維集合体１１５側において保持シート部１１１の第２シート１１３に被着される。従って、清掃体１１０は、保持シート部１１１の第２シート１１３と第３シート１１６との間に繊維集合体１１５が挟み込まれる構成とされる。繊維集合体１１５は、更に重ねられた３つの繊維体からなる。これら３つの繊維体のうちの第２シート１１３側の１つの繊維体１１５ａは、第１グループの複数の繊維（本発明における「第１グループの複数の繊維」に相当する）からなる繊維体とされ、その他の２つの繊維体１１５ｂは、第２グループの複数の繊維（本発明における「第２グループの複数の繊維」に相当する）からなる繊維体とされる。繊維集合体１１５を構成する繊維体１１５ａ，１１５ｂはいずれも、複数の繊維が第２の方向１２方向に、一方の挿入孔と他方の挿入孔の双方にまたがって延在する構成とされる。これにより、繊維集合体１１５が、一方の挿入孔１１７に対応した繊維と、他方の挿入孔１１７に対応した繊維に分割されていない清掃体が実現される。また、この清掃体１１０では、保持シート部１１１の第２シート１１３によって一方の清掃体表面（清掃体上面）が形成され、また刷毛部１１４の第３シート１１６によって他方の清掃体表面（清掃体下面）が形成される。これにより、清掃体１１０は第２シート１１３の片面が清掃体表面に露出する一方、第３シート１１６の片面が清掃体表面に露出する。
【００３２】
上記構成の第１シート１１２、第２シート１１３および第３シート１１６は、それぞれ図２中の矢印１２方向に関する端部、すなわち左右端部にジクザグ状にカットされた複数の短冊片（短冊部分）１１２ａ，１１３ａおよび１１６ａを備えるのが好ましい。これら短冊片１１２ａ，１１３ａ，１１６ａはいずれも、図２中の矢印１２方向に長尺状に延在する構成とされる。この場合、当該短冊片を備えるシート１１２，１１３，１１６は、短冊シートとも称呼される。このような構成の短冊片は、ごみを引っ掛けて捕捉し易く、また凹部に入り込んだごみを描き出し易い、清掃機能の高い構造として特に効果的である。なお、短冊片１１２ａ，１１３ａ，１１６ａの形状に関しては、ジクザグ状、直線状、曲線状などのうちの単一種類或いは複数種類の形状を適宜用いることができる。
【００３３】
（不織布の構成）
上記構成の第１シート１１２、第２シート１１３および第３シート１１６に関しては、いずれも典型的には熱溶融性繊維（熱可塑性繊維）からなるシート状の不織布を使用することができる。従って、これら第１シート１１２、第２シート１１３および第３シート１１６は、「不織布シート」とも称呼される。この不織布は、機械的、化学的、熱的などの処理によって繊維を固着したり絡み合わせたりして作られるシート状の構成物であって、熱可塑性繊維を一部に含み接合が可能な不織布とされ、複数の短冊片を有する形状の不織布として構成される。熱可塑性繊維（熱溶融繊維）としては、ポリエチレン、ポリプロピレン、ポリエチレンテレフタレート等を使用することができる。
【００３４】
また、この不織布は、実用的な強度を備える１０〜１００ｇ／ｍ２の熱可塑性繊維によって構成されるのが好ましい。この不織布としては、エアースルー法、スパンボンド法、サーマルボンド法、スパンレース法、ポイントボンド法、メルトブロー法、ステッチボンド法、ケミカルボンド法、ニードルパンチ法等により製造されたものを適宜使用することができる。ここでいう不織布が、本発明における「不織布」に相当する。なお、清掃時の掃き出し機能を向上させるためには、剛性の高い不織布を用いるのが好ましい。また、不織布に代えて或いは加えて、ウレタン、スポンジ、織布、ネット、ワリフなどの素材を短冊状に加工したものを用いることもできる。
【００３５】
（繊維集合体の構成）
一方、繊維集合体１１５の繊維体１１５ａ，１１５ｂはいずれも、繊維による単一の繊維構造体や、繊維が長さ方向および／または径方向にそろった繊維構造体（撚糸、紡績糸、複数の長繊維が部分的に接続された糸材など）、ないし当該繊維構造体の集合体とされ、熱可塑性繊維を一部に含み接合が可能な繊維体として構成される。各繊維体を形成する繊維とは、糸、織物などの構成単位であり、太さに比して十分な長さを持つ、細くてたわみやすい形態のものとして規定され、典型的には長い連続状の繊維が長繊維（フィラメント）とされ、短い繊維が短繊維（ステープル）とされる。当該繊維体の繊維は、短冊片１１２ａ，１１３ａ，１１６ａと同様に、図２中の矢印１２方向に長尺状に延在する構成とされる。この繊維集合体１１５は、複数の繊維が束状に形成された「繊維束」とも称呼される。この繊維集合体１１５を構成する繊維体１１５ａ，１１５ｂによって、本発明における「繊維体」が構成される。
【００３６】
なお、本実施の形態では、繊維体１１５ａ，１１５ｂが重ねられて繊維集合体１１５が形成される場合について記載しているが、繊維体の数は必要に応じて１または複数とすることができる。この繊維集合体１１５や繊維体１１５ａ，１１５ｂは、所定の平面や曲面による面構造を有するとともに、ある程度の厚みを有する立体形状として、或いは薄肉シート形状として構成されるのが好ましい。ここでいう「繊維体」は、典型的にはポリエチレン（ＰＥ）、ポリプロピレン（ＰＰ）、ポリエチレンテレフタレート（ＰＥＴ）、ナイロン、レーヨンなどを材質とし、実用上はトウを開繊することによって得られる長繊維（フィラメント）の集合体がこの繊維体として多用される。特には、芯部分がポリプロピレン（ＰＰ）或いはポリエチレンテレフタレート（ＰＥＴ）であり、この芯部分の外面を覆う鞘部分がポリエチレン（ＰＥ）の複合繊維を用いて繊維体が構成されるのが好ましい。この繊維体を形成する長繊維は、その繊度が０．５〜６６ｄｔｅｘとされるのが好ましい。また、各繊維体は概ね同様の繊度の繊維から構成されてもよいし、或いは各繊維体が異なる繊度の繊維を含む構成であってもよい。また、熱可塑性樹脂を含む繊維を用いる場合、少なくとも２種類以上の異なった融点の樹脂（例えば融点差が２０℃以上の樹脂）を使用するのが好ましい。
【００３７】
また、清掃時の掃き出し機能を向上させるためには、剛性の高い繊維、すなわち繊度が高い繊維を含む繊維体を用いるのが好ましい。また、この繊維体は、捲縮繊維を有する構成とされるのが好ましい。この場合、１インチあたりのクリンプ数が５〜３０の倦縮繊維を用いるのが好ましい。ここでいう捲縮繊維は、所定の巻き縮み処理が付与された繊維として構成され、繊維同士が絡み易い構造とされる。このような捲縮繊維を用いると、繊維体が清掃体ホルダ装着前の状態よりも嵩高となり、更に捲縮部分にごみを取り込み易い構造とされる。本構造は、特にトウ繊維から形成された捲縮繊維を用いることによって実現され得る。また、ごみ、塵、埃などを確実に吸着するべく、着塵油剤を含有する繊維を用いるのが好ましい。
【００３８】
繊維体として、フィルムをテープ状にスリットし、縦方向へ延伸させたフラットヤーンや、スプリットヤーンと称呼される熱可塑性フィルム樹脂を樹脂の配向方向と直交する方向にかきわけて、繊維状となったフィルムが網目状に接合されているものを使用してもよい。或いは、繊維体として、エアースルー不織布などの嵩高で繊維密度の低い不織布を使用してもよい。
【００３９】
図３に示されるように、上記構成の清掃体１１０は、それぞれ当該清掃体１１０の長辺１１０ａが延在する第１の方向１０に沿って延在する第１接合部１２１、第２接合部１２２および第３接合部１２３を備える。これら第１接合部１２１、第２接合部１２２および第３接合部１２３はいずれも、融着、接着、係着、縫着等のうちの少なくとも１つの接合形態によって構成されるのが好ましい。第３接合部１２３は、清掃体１１０の短辺１１０ｂが延在する第２の方向１２に関し、当該清掃体１１０の中央領域に配置されており、連続した１つの接合線を形成している。この第３接合部１２３の両側に第１接合部１２１および第２接合部１２２が配置されている。図３に示す実施形態では、第１接合部１２１および第２接合部１２２は、第２の方向１２に関し当該第３接合部１２３から同じ距離を隔てて配置され、且つ当該第３接合部１２３について線対称とされる。
【００４０】
第１接合部１２１は、互いに並行して延在する第１の外側接合部１２１ａおよび第１の内側接合部１２１ｂからなり、そのうちの第１の内側接合部１２１ｂが第２接合部１２２に近接して配置されている。この第１接合部１２１は、第１の外側接合部１２１ａおよび第１の内側接合部１２１ｂが互いに平行であってもよいし、或いは平行でなくてもよい。ここでいう第１の外側接合部１２１ａおよび第１の内側接合部１２１ｂがそれぞれ、本発明における「第１の外側接合部」および「第１の内側接合部」に対応している。
【００４１】
同様に、第２接合部１２２は、互いに並行して延在する第２の外側接合部１２２ａおよび第２の内側接合部１２２ｂからなり、そのうちの第２の内側接合部１２２ｂが第１接合部１２１に近接して配置されている。この第２接合部１２２は、第２の外側接合部１２２ａおよび第２の内側接合部１２２ｂが互いに平行であってもよいし、或いは平行でなくてもよい。ここでいう第２の外側接合部１２２ａおよび第２の内側接合部１２２ｂがそれぞれ、本発明における「第２の外側接合部」および「第２の内側接合部」に対応している。なお、「内側接合部」は、第１接合部１２１（第２接合部１２２）を構成する複数の接合部のうち第２接合部１２２（第１接合部１２１）側の接合部を表し、「外側接合部」は、第１接合部１２１（第２接合部１２２）を構成する複数の接合部のうち第２接合部１２２（第１接合部１２１）と反対側の接合部を表す。
【００４２】
第１接合部１２１の第１の内側接合部１２１ｂと、第２接合部１２２の第２の内側接合部１２２ｂとによって区画される領域が中間領域１１８とされ、この中間領域１１８に第３接合部１２３が配置されている。この場合、第３接合部１２３は、第１接合部１２１および第２接合部１２２とは独立して構成されてもよいし、或いは第１接合部１２１または第２接合部１２２の一部を兼務した構成であってもよい。ここでいう中間領域１１８が本発明における「中間領域」に相当し、またこの中間領域１１８に配置された第３接合部１２３が、本発明における「中間接合部」に相当する。
【００４３】
第１の外側接合部１２１ａは、第１の方向１０に直線状に延在し、それぞれ離間して配置された３つの直線領域１２１ｃと、隣り合う２つの直線領域１２１ｃの間に傾斜状に配置された２つの傾斜領域１２１ｄとによって連続して延在する１つの接合線を形成している。また第１の内側接合部１２１ｂは、第１の方向１０に直線状に延在し、それぞれ離間して配置された３つの直線領域１２１ｅと、隣り合う２つの直線領域１２１ｅの間に傾斜状に配置された２つの傾斜領域１２１ｆとによって連続して延在する１つの接合線を形成している。同様に、第２の外側接合部１２２ａは、第１の方向１０に直線状に延在し、それぞれ離間して配置された３つの直線領域１２２ｃと、隣り合う２つの直線領域１２２ｃの間に傾斜状に配置された２つの傾斜領域１２２ｄとによって連続して延在する１つの接合線を形成している。また第１の内側接合部１２２ｂは、第１の方向１０に直線状に延在し、それぞれ離間して配置された３つの直線領域１２２ｅと、隣り合う２つの直線領域１２２ｅの間に傾斜状に配置された２つの傾斜領域１２２ｆとによって連続して延在する１つの接合線を形成している。
【００４４】
なお、上記構成の第１接合部１２１、第２接合部１２２および第３接合部１２３はいずれも、第１の方向１０に沿って連続して延在する１つの接合線や１つの接合点として構成されてもよいし、或いは第１の方向１０に沿って断続的に延在する複数の接合線または接合点として構成されてもよい。また、接合線の形状として、直線、破線、波線、ジグザグ線、曲線等、種々の形態を採り得る。
【００４５】
重ねられた第１シート１１２および第２シート１１３と、第１接合部１２１とによって区画される領域は、清掃体ホルダ１３０の一方の保持体１４２を挿入するための一方の挿入孔１１７として構成される。同様に、重ねられた第１シート１１２および第２シート１１３と、第２接合部１２２とによって区画される領域は、清掃体ホルダ１３０の他方の保持体１４２を挿入するための他方の挿入孔１１７として構成される。これら挿入孔１１７，１１７はいずれも、挿入口１１７ａから清掃体１１０の長辺１１０ａが延在する第１の方向１０に沿って延在する挿入空間として構成される。これら挿入孔１１７，１１７は、典型的には直線状、曲線状、或いは波線状に延在する構成とされる。なお、この挿入孔１１７を、各保持体１４２の挿入を許容する挿入孔以外の挿入空間、例えばスリット、切り込み等によって形成される挿入空間に置き換えることもできる。また、この挿入孔１１７は、その全部または一部の延在方向が第１の方向１０に合致する挿入空間として、或いはその全部または一部の延在方向が第１の方向１０に概ね合致する挿入空間として構成され得る。ここでいう挿入孔１１７，１１７によって、本発明における「第１の挿入空間」および「第２の挿入空間」が構成される。
【００４６】
上記第１接合部１２１、第２接合部１２２および第３接合部１２３によって接合される清掃体１１０の具体的な接合部位に関しては図５が参照される。図５に示すように、第１接合部１２１および第２接合部１２２はいずれも、保持シート部１１１と刷毛部１１４の一部、具体的には第１シート１１２および第２シート１１３に繊維体１１５ａを加えた３つの構成要素を接合する接合部として構成される。これにより繊維集合体１１５の繊維体のうち、第１グループの複数の繊維からなる繊維体１１５ａのみが第１接合部１２１および第２接合部１２２において保持シート部１１１に接続され、第２グループの複数の繊維からなる繊維体１１５ｂは第１接合部１２１および第２接合部１２２においては保持シート部１１１に接続されない。これに対して、第３接合部１２３は、保持シート部１１１と刷毛部１１４の全部を接合する接合部として構成される。
【００４７】
このような接合によれば、保持シート部１１１（第１シート１１２と第２シート１１３）および繊維体１１５ａはいずれも、第１の外側接合部１２１ａで接合された端部を固定端とし、この第１の外側接合部１２１ａを挟んで第１の内側接合部１２１ｂと反対側の端部を自由端として延在する第１延在部１１１ａと、第２の外側接合部１２２ａで接合された端部を固定端とし、この第２の外側接合部１２２ａを挟んで第２の内側接合部１２２ｂと反対側の端部を自由端として延在する第２延在部１１１ｂを有する。一方で、刷毛部１１４のうち繊維体１１５ａを除く部位、すなわち繊維体１１５ｂおよび第３シート１１６からなる部位は、第３接合部１２３で接合された端部を固定端とし、当該第３接合部１２３から離間する側の端部を自由端としてそれぞれ延在する第１延在部１１４ａおよび第２延在部１１４ｂを有する。
【００４８】
また、本実施の形態の清掃体１１０は、清掃体ホルダ１３０が未装着の状態、すなわち各保持体１４２が各挿入孔１１７に完全に挿入されていない状態においては、中間領域１１８の第２の方向１２についての間隔ｄ１が、２つの保持体１４２，１４２の間隔ｄ２のうちの最も短い間隔を上回る拡隔部１２４を有する構成が特徴とされる。この拡隔部１２４は、清掃体１１０の第１の方向１０の全ての部位にわたって形成されてもよいし、或いは清掃体１１０の第１の方向１０の一部に形成されてもよい。図３には、２つの保持体１４２，１４２の間隔ｄ２が第１の方向１０について一定とされた実施形態を示している。また、第１の方向１０に関し拡隔部１２４を挟んでその両側には、両挿入孔１１７，１１７の第２の方向１２の間隔が拡隔部１２４よりも狭い、具体的には間隔ｄ１が間隔ｄ２を下回る縮隔部１２５，１２５が設けられている。特に、挿入口１１７ａ側の縮隔部１２５は、各保持体１４２を各挿入孔１１７に挿入し易くするための誘導領域としての機能を果たす。
【００４９】
上記構成の拡隔部１２４を有する清掃体１１０の作用効果については図３に加えて、更に図６が参照される。この図６には、図５中の清掃体１１０の断面構造に関し、各保持体１４２が各挿入孔１１７に挿入される前後の様子が示されている。
【００５０】
図３において、各保持体１４２を各挿入孔１１７に挿入する際、まず一方の保持体１４２の自由端１４４が第１の内側接合部１２１ｂのうち挿入口１１７ａ側の傾斜領域１２１ｆに接触し、また他方の保持体１４２の自由端１４４が第２の内側接合部１２２ｂのうち挿入口１１７ａ側の傾斜領域１２２ｆに接触する。当該保持体１４２の挿入が継続されると、当該傾斜領域１２１ｆ，１２２ｆは、両保持体１４２，１４２によって互いに引き寄せられるように動作し、更にこれら傾斜領域１２１ｆ，１２２ｆに連接する真ん中の直線領域１２１ｅ，１２２ｅも、両保持体１４２，１４２によって互いに引き寄せられるように動作する。
【００５１】
これにより、図６に示すように、２つの挿入孔１１７，１１７が図中の矢印１４および１６方向に接近し、それによって、中間領域１１８における保持シート部１１１と繊維体１１５ａが、挿入孔１１７，１１７に対して繊維集合体１１５が配置されている方向、すなわち図中の矢印１８方向に押し出される。この押し出し動作によって、繊維集合体１１５のうち中間領域１１８の両側の繊維部分（例えば、中間領域１１８を固定端部とした場合の繊維集合体１１５の自由端部）の厚みが増えることとなる。具体的には、保持シート部１１１および繊維体１１５ａの第１延在部１１１ａは、それらの自由端部が第３接合部１２３を旋回中心として中間領域１１８まわりに矢印２０方向に旋回し、また保持シート部１１１および繊維体１１５ａの第２延在部１１１ｂは、それらの自由端部が第３接合部１２３を旋回中心として中間領域１１８まわりに矢印２２方向に旋回する。更に、各保持体１４２の突片１４５が、第１の外側接合部１２１ａまたは第２の外側接合部１２２ａを摺動する際に、第１延在部１１１ａおよび第２延在部１１１ｂの旋回動作が更に助長される。このような旋回動作をより確実に行なうためには、清掃体１１０の幅方向（図３中の第２の方向）の断面に関し、保持シート部１１１を挟んでその上方の構成要素の形状とその下方の構成要素の形状とが非対称となるように構成するのが好ましい。図６に示す実施形態の場合には、清掃体１１０は保持シート部１１１の上方には構成要素が備えておらず非対称とされる。
【００５２】
一方、第１延在部１１１ａおよび第２延在部１１１ｂの旋回動作の際には、第３シート１１６および繊維体１１５ｂの第１延在部１１４ａと、第３シート１１６および繊維体１１５ｂの第２延在部１１４ｂは、それらの位置がほぼ維持した状態とされるか、或いは各繊維体の自重作用によって、当該繊維体の自由端部が第３接合部１２３を旋回中心として中間領域１１８まわりに矢印２４または矢印２６方向に旋回する。
【００５３】
第１延在部１１１ａおよび第２延在部１１１ｂの上記旋回動作によって、清掃体１１０の幅方向（図３中の矢印１２方向）の断面に関し繊維集合体１１５の上記押し出し方向の繊維間距離が広げられるため、清掃体１１０に清掃体ホルダ１３０が装着される前よりも見た目の比容積を増加させることができる。これにより、ごみ、塵、埃などの捕集対象物を捕集するための領域を繊維内部まで拡張することができ、繊維集合体１１５を有効に利用することが可能となり、以って清掃効果向上を図ることが可能となる。
また、繊維集合体１１５の繊維間距離が広がることで表面積が増えることとなり、その結果、一拭きの清掃範囲が広がって払拭効果が高まる。
また、繊維集合体１１５の比容積や表面積が増加された上記の状態は、各保持体１４２を各挿入孔１１７に挿入することによって自然に形成されるため、使用前に繊維集合体１１５の繊維を手で解いたり、清掃体ホルダ１３０を清掃体１１０ごと振ることによって、清掃体１１０のボリューム感を高める操作を使用者があえて行なう必要なく合理的である。しかも、一旦形成された清掃体１１０の形状は、各挿入孔１１７に挿入された各保持体１４２によって強制的に維持されるため、当該形状がより長く安定的に維持され得る。
【００５４】
（他の実施の形態）
なお、本発明は上記の実施の形態のみに限定されるものではなく、種々の応用や変形が考えられる。例えば、上記実施の形態を応用した次の各形態を実施することもできる。
【００５５】
本発明においては、清掃体１１０や清掃体ホルダ１３０の構成要素の種類や数等に関しては、上記の例に限定されるものではなく、必要に応じて種々選択が可能である。例えば、清掃体１１０に３つ以上の挿入孔を設ける構成や、清掃体ホルダ１３０に３つ以上の保持体を設ける構成などを適宜採用することもできる。
【００５６】
また、上記実施の形態では、清掃体１１０をシート状の不織布と繊維体を用いて構成する場合について記載したが、本発明では、シート状の不織布と繊維体のいずれか一方によって清掃体が構成されてもよい。
【００５７】
また、上記実施の形態の清掃体１１０では、不織布からなる第３シート１１６が刷毛部１１４に含まれる場合について記載したが、清掃体１１０の設計仕様変更等の必要に応じては、刷毛部１１４から第３シート１１６が省略された構成を採用することも可能である。
【００５８】
また、上記実施の形態の清掃体１１０では、保持シート部１１１が清掃体上面を規定する構成、すなわち保持シート部１１１を挟んで刷毛部１１４とは反対側には清掃体要素が設けられない構成について記載したが、本発明では、保持シート部１１１を挟んで刷毛部１１４とは反対側に繊維集合体１１５のような刷毛部を接合することもできる。
【００５９】
また、本発明では、第１接合部１２１、第２接合部１２２および第３接合部１２３の形状や配置については、図３に示す実施形態の清掃体１１０に限定されるものではなく、必要に応じて適宜変更が可能である。例えば、図７〜図１３の平面図によって示される別実施の形態の清掃体２１０〜２７０を採用することもできる。
【００６０】
図７に示す清掃体２１０において、第１接合部１２１の第１の外側接合部１２１ａおよび第１の内側接合部１２１ｂは、第１の方向１０に互いに平行に延在し、且つ、いずれも第３接合部１２３に対し平行に延在している。同様に、第２接合部１２２の第２の外側接合部１２２ａおよび第２の内側接合部１２２ｂは、第１の方向１０に互いに平行に延在し、且つ、いずれも第３接合部１２３に対し平行に延在している。従って、この清掃体２１０には、図３に示す清掃体１１０とは異なり、第１接合部１２１および第２接合部１２２の全体にわたって拡隔部１２４が設けられており、縮隔部１２５が設けられていない。また、この実施形態では、各挿入孔１１７は、その全部が第１の方向１０に合致して延在する挿入空間として構成されている。
【００６１】
図８に示す清掃体２２０は、第１接合部１２１の第１の内側接合部１２１ｂと第２接合部１２２の第２の内側接合部１２２ｂ以外は、図３に示す清掃体２１０の接合部と同様とされる。第１の内側接合部１２１ｂは、２つの傾斜領域１２１ｆのみによって形成され、図３中の直線領域１２１ｅを備えていない。同様に、第２の内側接合部１２２ｂは、２つの傾斜領域１２２ｆのみによって形成され、図３中の直線領域１２２ｅを備えていない。また、この実施形態では、各挿入孔１１７は、その一部が第１の方向１０に合致して延在し、全体として第１の方向１０に沿って延在する挿入空間として構成されている。
【００６２】
図９に示す清掃体２３０において、第３接合部１２３は、第１の方向１０に延在するジグザグ線とその両側の直線を組み合わせた１つの接合線とされる。これにより、第３接合部１２３の形状が第１の方向１０に関し左右非対称とされる。また、第１接合部１２１の第１の外側接合部１２１ａは、図３に示す清掃体１１０の真ん中の直線領域１２１ｃのみによって形成されている。同様に、第２接合部１２２の第２の外側接合部１２２ａは、図３に示す清掃体１１０の真ん中の直線領域１２２ｃのみによって形成されている。また、この実施形態では、各挿入孔１１７は、その一部が第１の方向１０に合致して延在し、全体として第１の方向１０に沿って延在する挿入空間として構成されている。
【００６３】
図１０に示す清掃体２４０は、第１接合部１２１の第１の外側接合部１２１ａおよび第１の内側接合部１２１ｂは、第１の方向１０に沿って互いに平行に延在し、且つ、いずれも第３接合部１２３に対し傾斜して延在している。同様に、第２接合部１２２の第２の外側接合部１２２ａおよび第２の内側接合部１２２ｂは、第１の方向１０に沿って互いに平行に延在し、且つ、いずれも第３接合部１２３に対し傾斜して延在している。具体的には、第１の方向１０に関し挿入口１１７ａ側を清掃体後端とし、その反対側を清掃体前端とした場合、第１の外側接合部１２１ａおよび第１の内側接合部１２１ｂは、清掃体後端から清掃体前端に向けて等間隔を維持した状態で第３接合部１２３から直線的に離間していくように延在する１つの接合線とされる。同様に、第２の外側接合部１２２ａおよび第１の内側接合部１２２ｂは、清掃体後端から清掃体前端に向けて等間隔を維持した状態で第３接合部１２３から直線的に離間していくように延在する１つの接合線とされる。この実施形態では、各挿入孔１１７は、全体として第１の方向１０に沿って延在する挿入空間として構成されている。
【００６４】
図１１に示す清掃体２５０において、第１の外側接合部１２１ａは、３つの直線領域１２１ｃのみによって形成され、図３中の傾斜領域１２１ｄを備えていない。また、第１の内側接合部１２１ｂは、３つの直線領域１２１ｅのみによって形成され、図３中の傾斜領域１２１ｆを備えていない。同様に、第２の外側接合部１２２ａは、３つの直線領域１２２ｃのみによって形成され、図３中の傾斜領域１２２ｄを備えていない。また、第２の内側接合部１２２ｂは、３つの直線領域１２２ｅのみによって形成され、図３中の傾斜領域１２２ｆを備えていない。また、この実施形態では、各挿入孔１１７は、その一部が第１の方向１０に合致して延在し、全体として第１の方向１０に沿って延在する挿入空間として構成されている。
【００６５】
図１２に示す清掃体２６０では、清掃体長辺の中点を通る中心線Ｌに関し、当該中心線Ｌの両側の接合部の形状が異なる。具体的には、第１の方向１０に関し挿入口１１７ａ側を清掃体後端とし、その反対側を清掃体前端とした場合、図３に示す清掃体１１０と対比して、拡隔部１２４の位置が中心線Ｌよりも清掃体前端側にシフトされている。また、この実施形態では、各挿入孔１１７は、その一部が第１の方向１０に合致して延在し、全体として第１の方向１０に沿って延在する挿入空間として構成されている。
【００６６】
図１３に示す清掃体２７０において、第３接合部１２３は、第１の方向１０に延在するジグザグ線とその両側の直線を組み合わせた１つの接合線とされる。また、この第３接合部１２３は、第１接合部１２１の第１の内側接合部１２１ｂの機能と、第２接合部１２２の第２の内側接合部１２２ｂの機能を兼務している。これにより接合部の数を抑えることが可能となり合理的である。また、この実施形態では、各挿入孔１１７は、その一部が第１の方向１０に合致して延在し、全体として第１の方向１０に沿って延在する挿入空間として構成されている。
【００６７】
上記構成の清掃体２１０〜２７０も図３に示す清掃体１１０と同様に少なくとも拡隔部１２４を有しており、この点において清掃体１１０の前述の作用効果と同様の作用効果を奏することとなる。
【００６８】
また、本発明では、清掃体１１０の保持シート部１１１および刷毛部１１４の構成や、清掃体１１０のうち第１接合部１２１、第２接合部１２２および第３接合部１２３によって接合される部位については、図５に示す実施形態に限定されるものではなく、必要に応じて適宜変更が可能である。例えば、図１４〜図１９の断面図によって示される別実施の形態の清掃体３１０〜３６０を採用することもできる。
【００６９】
図１４に示す清掃体３１０は、繊維集合体１１５が第２グループの複数の繊維からなる繊維体１１５ｂのみによって構成されている。この繊維体１１５ｂは、第３接合部１２３において保持シート部１１１に接続されるが、第１接合部１２１および第２接合部１２２においては保持シート部１１１に接続されない。本構成では、２つの挿入孔１１７，１１７が接近し、中間領域１１８における保持シート部１１１が、挿入孔１１７，１１７に対して繊維集合体１１５が配置されている方向に押し出される。この押し出し動作によって、保持シート部１１１の第１延在部１１１ａは、その自由端部が第３接合部１２３を旋回中心として（図６中の矢印２０方向に）旋回し、また保持シート部１１１の第２延在部１１１ｂは、その自由端部が第３接合部１２３を旋回中心として（図６中の矢印２２方向に）旋回する。
【００７０】
図１５に示す清掃体３２０は、繊維集合体１１５が第１グループの複数の繊維からなる繊維体１１５ａのみによって構成されている。この繊維体１１５ａは、第１接合部１２１〜第３接合部１２３の全てにおいて保持シート部１１１に接続される。本構成では、２つの挿入孔１１７，１１７が接近し、中間領域１１８における保持シート部１１１と繊維体１１５ａが、挿入孔１１７，１１７に対して繊維集合体１１５が配置されている方向に押し出される。この押し出し動作によって、保持シート部１１１および繊維体１１５ａの第１延在部１１１ａは、それらの自由端部が第３接合部１２３を旋回中心として（図６中の矢印２０方向に）旋回し、また保持シート部１１１および繊維体１１５ａの第２延在部１１１ｂは、それらの自由端部が第３接合部１２３を旋回中心として（図６中の矢印２２方向に）旋回する。
【００７１】
図１６に示す清掃体３３０は、繊維集合体１１５が、第１グループの複数の繊維からなる繊維体１１５ａと、第２グループの複数の繊維からなる２つの繊維体１１５ｂによって構成されている。繊維体１１５ａと保持シート部１１１側の一方の繊維体１１５ｂは、第１接合部１２１または第２接合部１２２において保持シート部１１１に接続される。これに対し、他方の繊維体１１５ｂは、第３接合部１２３において保持シート部１１１に接続されるが、第１接合部１２１または第２接合部１２２においては保持シート部１１１に接続されない。本構成では、２つの挿入孔１１７，１１７が接近し、中間領域１１８における保持シート部１１１、繊維体１１５ａおよび一方の繊維体１１５ｂが、挿入孔１１７，１１７に対して繊維集合体１１５が配置されている方向に押し出される。この押し出し動作によって、保持シート部１１１および繊維体１１５ａの第１延在部１１１ａは、それらの自由端部が第３接合部１２３を旋回中心として（図６中の矢印２０方向に）旋回し、また保持シート部１１１および繊維体１１５ａの第２延在部１１１ｂは、それらの自由端部が第３接合部１２３を旋回中心として（図６中の矢印２２方向に）旋回する。
【００７２】
図１７に示す清掃体３４０は、繊維集合体１１５が、第１グループの複数の繊維からなる繊維体１１５ａと、第２グループの複数の繊維からなる２つの繊維体１１５ｂによって構成されている。また、繊維体１１５ａは、一方の挿入孔１１７に対応して設けられたシート部と、他方の挿入孔１１７に対応して設けられたシート部とに分割されている。同様に、繊維体１１５ｂは、一方の挿入孔１１７に対応して設けられたシート部と、他方の挿入孔１１７に対応して設けられたシート部とに分割されている。繊維体１１５ａの２つのシート部は、第１接合部１２１および第２接合部１２２において保持シート部１１１に接続される。これに対し繊維体１１５ｂの２つのシート部は、第３接合部１２３において保持シート部１１１に接続されるが、第１接合部１２１および第２接合部１２２においては保持シート部１１１に接続されない。本構成では、２つの挿入孔１１７，１１７が接近し、中間領域１１８における保持シート部１１１および繊維体１１５ａが、挿入孔１１７，１１７に対して繊維集合体１１５が配置されている方向に押し出される。この押し出し動作によって、保持シート部１１１および繊維体１１５ａの一方のシート部の第１延在部１１１ａは、それらの自由端部が第３接合部１２３を旋回中心として（図６中の矢印２０方向に）旋回し、また保持シート部１１１および繊維体１１５ａの一方のシート部の第２延在部１１１ｂは、それらの自由端部が第３接合部１２３を旋回中心として（図６中の矢印２２方向に）旋回する。
【００７３】
図１８に示す清掃体３５０は、繊維集合体１１５が、第２グループの複数の繊維からなる繊維体１１５ｂのみによって構成されている。また、繊維体１１５ｂは、一方の挿入孔１１７に対応して設けられたシート部と、他方の挿入孔１１７に対応して設けられたシート部とに分割されている。繊維体１１５ｂの２つのシート部は、第３接合部１２３において保持シート部１１１に接続されるが、第１接合部１２１および第２接合部１２２においては保持シート部１１１に接続されない。本構成では、２つの挿入孔１１７，１１７が接近し、中間領域１１８における保持シート部１１１が、挿入孔１１７，１１７に対して繊維集合体１１５が配置されている方向に押し出される。この押し出し動作によって、保持シート部１１１の第１延在部１１１ａは、その自由端部が第３接合部１２３を旋回中心として（図６中の矢印２０方向に）旋回し、また保持シート部１１１の第２延在部１１１ｂは、その自由端部が第３接合部１２３を旋回中心として（図６中の矢印２２方向に）旋回する。
【００７４】
図１９に示す清掃体３６０は、繊維集合体１１５が、第１グループの複数の繊維からなる繊維体１１５ａのみによって構成されている。また、繊維体１１５ａは、一方の挿入孔１１７に対応して設けられたシート部と、他方の挿入孔１１７に対応して設けられたシート部とに分割されている。繊維体１１５ａの２つのシート部は、第１接合部１２１〜第３接合部１２３の全てにおいて保持シート部１１１に接続される。本構成では、２つの挿入孔１１７，１１７が接近し、中間領域１１８における保持シート部１１１と繊維体１１５ａが、挿入孔１１７，１１７に対して繊維集合体１１５が配置されている方向に押し出される。この押し出し動作によって、保持シート部１１１および繊維体１１５ａの一方のシート部の第１延在部１１１ａは、それらの自由端部が第３接合部１２３を旋回中心として（図６中の矢印２０方向に）旋回し、また保持シート部１１１および繊維体１１５ａの他方のシート部の第２延在部１１１ｂは、それらの自由端部が第３接合部１２３を旋回中心として（図６中の矢印２２方向に）旋回する。
【００７５】
上記構成の清掃体３１０〜３７０も、図５に示す清掃体１１０と同様に、中間領域１１８の繊維体が、挿入孔１１７，１１７に対して繊維集合体１１５が配置されている方向に押し出されて、繊維集合体１１５のうち中間領域１１８の両側の繊維部分の厚みが増え、これにより繊維集合体１１５の繊維間距離が広げられるという作用効果を奏する。
【００７６】
上記実施の形態では、図３に示されるように、２つの保持体１４２，１４２の間隔ｄ２が第１の方向１０について一定とされる場合について記載したが、当該間隔が第１の方向１０について異なる構成を採用することもできる。例えば、２つの保持体１４２，１４２の間隔が自由端１４４において第２の方向１２に拡隔されるように、自由端１４４に傾斜部１４７を設けた別実施の形態のホルダ本体１６０を採用することもできる。このような構成を採用することによって、挿入孔１１７への保持体１４２の挿入し易さを実現することができる。
【符号の説明】
【００７７】
１００…清掃用具
１１０…清掃体
１１０ａ…長辺
１１０ｂ…短辺
１１１…保持シート部
１１１ａ…第１延在部
１１１ｂ…第２延在部
１１２…第１シート
１１２ａ…短冊片
１１３…第２シート
１１３ａ…短冊片
１１４…刷毛部
１１４ａ…第１延在部
１１４ｂ…第２延在部
１１５…繊維集合体
１１５ａ，１１５ｂ…繊維体
１１６…第３シート
１１６ａ…短冊片
１１７…挿入孔
１１７ａ…挿入口
１１８…中間領域
１１８ａ…短冊片
１２１…第１接合部
１２１ａ…第１の外側接合部
１２１ｂ…第１の内側接合部
１２１ｃ，１２１ｅ…直線領域
１２１ｄ，１２１ｆ…傾斜領域
１２２…第２接合部
１２２ａ…第２の外側接合部
１２２ｂ…第２の内側接合部
１２２ｃ，１２２ｅ…直線領域
１２２ｄ，１２２ｆ…傾斜領域
１２３…第３接合部
１２４…拡隔部
１３０…清掃体ホルダ
１４０…ホルダ本体
１４１…接続部
１４２…保持体
１４２ａ…外縁部
１４３…固定端
１４４…自由端
１４５…突片
１４６…押え板
１５０…ハンドル部
１５１…ハンドル本体
１６０…ホルダ本体
【図１】
0005427628.tif 000002
【図２】
0005427628.tif 000003
【図３】
0005427628.tif 000004
【図４】
0005427628.tif 000005
【図５】
0005427628.tif 000006
【図６】
0005427628.tif 000007
【図７】
0005427628.tif 000008
【図８】
0005427628.tif 000009
【図９】
0005427628.tif 000010
【図１０】
0005427628.tif 000011
【図１１】
0005427628.tif 000012
【図１２】
0005427628.tif 000013
【図１３】
0005427628.tif 000014
【図１４】
0005427628.tif 000015
【図１５】
0005427628.tif 000016
【図１６】
0005427628.tif 000017
【図１７】
0005427628.tif 000018
【図１８】
0005427628.tif 000019
【図１９】
0005427628.tif 000020
【図２０】
0005427628.tif 000021